(57)【特許請求の範囲】
【請求項１】
ドライブの規格が、ユーザが使用する情報記録媒体に適用される規格と異なるとき、ドライブが情報記録媒体上にデータを記録及び/または再生できるか否かを示す最大記録速度情報、最小記録速度情報、最大再生速度情報及び最小再生速度情報が記録された再生専用領域を含み、
前記最大記録速度情報、前記最小記録速度情報、前記最大再生速度情報、及び前記最小再生速度情報は最大倍速情報及び最小倍速情報を含み、
前記再生専用領域にある特定のｍ番目バイトにある８ビットのうち、前方にある４つのビットに前記最小記録速度情報が記録され、後方にある４ビットに前記最大記録速度情報が記録され、
ｎ番目バイトにある８ビットのうち、前方にある４つのビットに前記最小再生速度情報が記録され、後方にある４ビットに前記最大再生速度情報が記録される情報記録媒体。
【請求項２】
前記記録媒体は、リードイン領域、ユーザデータ領域及びリードアウト領域を備え、
前記最大記録速度情報、前記最小記録速度情報、前記最大再生速度情報、及び前記最小再生速度情報は、
前記リードイン領域及びリードアウト領域のうち、少なくとも１領域にある再生専用領域に記録されることを特徴とする請求項１に記載の情報記録媒体。
【請求項３】
前記最大記録速度情報、前記最小記録速度情報、前記最大再生速度情報、及び前記最小再生速度情報は、
前記リードイン領域とリードアウト領域に重畳して記録されることを特徴とする請求項２に記載の情報記録媒体。
【請求項４】
前記再生専用領域は、ディスクコントロールデータゾーンであることを特徴とする請求項１ないし３の何れか一項に記載の情報記録媒体。
【請求項５】
前記最大記録速度情報、前記最小記録速度情報、前記最大再生速度情報、及び前記最小再生速度情報は、１６進法または２進法フォーマットで記録されることを特徴とする請求項１に記載の情報記録媒体。
【請求項６】
前記最大記録速度情報、前記最小記録速度情報、前記最大再生速度情報、及び前記最小再生速度情報は、前記再生専用領域に２回以上重畳して記録されることを特徴とする請求項１に記載の情報記録媒体。
【請求項７】
データを情報記録媒体に記録及び/または再生する方法であって、
ドライブの規格が、ユーザが使用する情報記録媒体に適用される規格と異なるとき、
ドライブに対する速度互換性を表すのに使われる最大記録速度情報、最小記録速度情報、最大再生速度情報及び最小再生速度情報を再生専用領域に再生専用データとして記録する段階と、
ドライブの記録可能な速度が前記最大記録速度情報または最小記録速度情報と同じであるか、前記最大記録速度情報及び最小記録速度情報との間にあるとき、情報記録媒体にデータを記録するか、
またはドライブの再生可能な速度が前記最大再生速度情報または最小再生速度情報と同じであるか、前記最大再生速度情報及び最小再生速度情報の間にあるとき、情報記録媒体にデータを再生する段階と、を含み、
前記最大記録速度情報、前記最小記録速度情報、前記最大再生速度情報、及び前記最小再生速度情報は最大倍速情報及び最小倍速情報を含み、
前記再生専用領域にある特定のｍ番目バイトにある８ビットのうち前方にある４つのビットに前記最小記録速度情報が記録され、後方にある４ビットに前記最大記録速度情報が記録され、
ｎ番目バイトにある８ビットのうち、前方にある４つのビットに前記最小再生速度情報が記録され、後方にある４ビットに前記最大再生速度情報が記録されることを特徴とする方法。
【請求項８】
前記記録媒体は、リードイン領域、ユーザデータ領域及びリードアウト領域を備え、
前記最大記録速度情報、前記最小記録速度情報、前記最大再生速度情報、及び前記最小再生速度情報は、前記リードイン領域及びリードアウト領域のうち、少なくとも１領域にある再生専用領域に記録されることを特徴とする請求項７に記載の方法。
【請求項９】
前記最大記録速度情報、前記最小記録速度情報、前記最大再生速度情報、及び前記最小再生速度情報は、
前記リードイン領域とリードアウト領域の両方に記録されることを特徴とする請求項８に記載の方法。
【請求項１０】
前記再生専用領域は、ディスクコントロールデータゾーンであることを特徴とする請求項７ないし９の何れか一項に記載の方法。
【請求項１１】
ドライブが情報記録媒体にデータを記録するか、かつ/または再生できるか否かを表す最大記録速度情報、最小記録速度情報、最大再生速度情報及び最小再生速度情報が記録される再生専用領域を有する情報記録媒体にデータを記録及び/または再生するドライブ装置において、
情報記録媒体にデータを記録及び/または再生するピックアップを備え、
情報記録媒体が前記ドライブ装置に挿入される時、ドライブ装置が前記最大記録速度情報、前記最小記録速度情報、前記最大再生速度情報、及び前記最小再生速度情報を読んで、前記最大記録速度情報、前記最小記録速度情報、前記最大再生速度情報、及び前記最小再生速度情報によってデータを記録及び/または再生し、
前記最大記録速度情報、前記最小記録速度情報、前記最大再生速度情報、及び前記最小再生速度情報は最大倍速情報及び最小倍速情報を含み、
前記再生専用領域にある特定のｍ番目バイトにある８ビットのうち前方にある４つのビットに前記最小記録速度情報が記録され、後方にある４ビットに前記最大記録速度情報が記録され、
ｎ番目バイトにある８ビットのうち、前方にある４つのビットに前記最小再生速度情報が記録され、後方にある４ビットに前記最大再生速度情報が記録されることを特徴とする装置。
【請求項１２】
ドライブが情報記録媒体にデータを記録するか、かつ/または再生できるか否かを表す最大記録速度情報、最小記録速度情報、最大再生速度情報及び最小再生速度情報が記録される再生専用領域を有する情報記録媒体にデータを記録するためのドライブ装置において、
特定の圧縮スキームによってＡＶ信号を圧縮し、圧縮されたＡＶデータを出力するＡＶ符号化器と、
圧縮されたＡＶデータを受信し、圧縮されたＡＶ信号に対するＥＣＣ処理のためのデータを付加し、特定の変調スキームによって結果データを変調させ、変調されたデータを出力するデジタル信号処理器と、
変調データをＲＦ信号に変換して出力するＲＦ増幅器と、
前記情報記録媒体上にＲＦ信号を記録するピックアップを備え、
前記データは、ドライブが情報記録媒体にデータを記録するか、かつ/または再生できるか否かを表す最大記録速度情報、最小記録速度情報、最大再生速度情報及び最小再生速度情報を備え、
前記最大記録速度情報、前記最小記録速度情報、前記最大再生速度情報、及び前記最小再生速度情報は情報記録媒体の再生専用領域に記録され、
前記最大記録速度情報、前記最小記録速度情報、前記最大再生速度情報、及び前記最小再生速度情報は最大倍速情報及び最小倍速情報を含み、
前記再生専用領域にある特定のｍ番目バイトにある８ビットのうち前方にある４つのビットに前記最小記録速度情報が記録され、後方にある４ビットに前記最大記録速度情報が記録され、
ｎ番目バイトにある８ビットのうち、前方にある４つのビットに前記最小再生速度情報が記録され、後方にある４ビットに前記最大再生速度情報が記録されることを特徴とする装置。
【請求項１３】
情報記録媒体にデータを再生するためのドライブ装置において、
前記情報記録媒体から光信号を検出するピックアップと、
光信号を変調データのＲＦ信号に変換してＲＦ信号を出力するＲＦ増幅器と、
変調スキームによって変調データを復調し、ＥＣＣ処理を行って圧縮されたＡＶ信号を出力するデジタル信号処理器と、
圧縮されたＡＶデータを復調してＡＶ信号を出力するＡＶデコーダとを備え、
前記データは、ドライブが情報記録媒体にデータを記録するか、かつ/または再生できるか否かを表す最大記録速度情報、最小記録速度情報、最大再生速度情報及び最小再生速度情報を備え、
前記最大記録速度情報、前記最小記録速度情報、前記最大再生速度情報、及び前記最小再生速度情報は情報記録媒体の再生専用領域に記録され、
前記最大記録速度情報、前記最小記録速度情報、前記最大再生速度情報、及び前記最小再生速度情報は最大倍速情報及び最小倍速情報を含み、
前記再生専用領域にある特定のｍ番目バイトにある８ビットのうち前方にある４つのビットに前記最小記録速度情報が記録され、後方にある４ビットに前記最大記録速度情報が記録され、
ｎ番目バイトにある８ビットのうち、前方にある４つのビットに前記最小再生速度情報が記録され、後方にある４ビットに前記最大再生速度情報が記録されることを特徴とする装置。
【発明の詳細な説明】
【技術分野】
【０００１】
本発明は、情報記録媒体及びその記録及び／または再生方法に係り、さらに詳細には、特定の規格と異なる規格によるドライブでデータの記録及び／または再生が可能か否かを表す速度情報が記録された情報記録媒体及びその記録媒体にデータを記録及び／または再生する方法に関する。
【背景技術】
【０００２】
一般的に情報記録媒体は、非接触式で情報を記録／再生する光ピックアップ装置の情報記録媒体として広く採用され、情報記録媒体の一種である光ディスクは、情報記録容量によってコンパクトディスク（ＣＤ）、デジタル多機能ディスク（ＤＶＤ）に区分される。そして、記録、消去及び再生が可能な光ディスクとしては、６５０ＭＢ  ＣＤ−Ｒ、ＣＤ−ＲＷ、４．７ＧＢ  ＤＶＤ＋ＲＷ、ＤＶＤ−ＲＡＭなどがある。さらに、記録容量が２０ＧＢ以上であるＨＤ−ＤＶＤも開発されている。
【０００３】
このような多様な種類の記録媒体の物理的構造またはデータ構造や記録／再生方法を統一させるために規格が決まっている。記録媒体の規格で決められる内容は無数に多いが、特に、記録容量や記録速度が重要な内容になりうる。例えば、記録容量を増加させるために要求される記録／再生条件が多くあるが、このような記録／再生条件が既存の規格に規定された条件と異なるとき、規格が変わりつつ、規格バージョンナンバーが変わる。
【０００４】
図１は、従来の記録可能な情報記録媒体のデータ領域構造を示すものであって、記録媒体はリードイン領域１０、ユーザデータ領域２０及びリードアウト領域３０を含む。リードイン領域１０は、再生専用領域と記録可能な領域とに分けられ、例えば、第１バッファゾーン１０−１、ディスクコントロールデータゾーン１０−２、ディスクテストゾーン１０−３、ドライブテストゾーン１０−４、欠陥管理ゾーン１０−５、保留ゾーン１０−６及び第２バッファゾーン１０−７を備えうる。例えば、第１バッファゾーン１０−１とディスクコントロールデータゾーン１０−２は、記録媒体の製造時からデータの記録される再生専用領域であり、残りの領域は記録可能な領域でありうる。
【０００５】
図２は、ディスクコントロールデータゾーン１０−２が複数個のバイトよりなる構造を示すものである。ここで、第０バイトには、ディスク種類及びバージョンナンバーが記録され、第１バイトにはディスクサイズが、第２バイトにはディスク構造、例えば、情報層の数が記録されている。しかし、既存の規格バージョンによるドライブのための記録速度情報及び／または再生速度情報については記録されていない。
【０００６】
ところが、規格バージョンナンバーが変われば、新たな規格によって記録／再生条件が規定される。一般的にバージョンナンバーが変われば、下位バージョンのドライブでは上位バージョン（すなわち、以後のバージョン）の記録媒体を認識できない。したがって、記録媒体のバージョンナンバーとドライブのバージョンナンバーとが異なれば、データの記録及び／または再生が不可能になる。ところが、バージョンが変わっても記録及び／または再生速度が既存バージョンの速度を一部満足させうる。例えば、バージョン１．０の規格では、記録速度が１−４倍速と規定されており、バージョンが２．０に変わった規格では、記録速度が３−８倍速と規定されていると仮定すれば、バージョン１．０の規格によるドライブでもバージョン２．０の規格による記録媒体に３倍速または４倍速でデータの記録及び／または再生が可能である。
【０００７】
このような場合に、既存バージョンのドライブで認識できる記録速度についての情報が記録されていないために、バージョン１．０の規格によるドライブにバージョン２．０の規格による記録媒体を挿入した時、前記ドライブでバージョン２．０の記録媒体が作動できるにも拘わらず、ドライブでは作動不能なものと認識する。
【０００８】
したがって、ユーザは規格が変わる度にドライブを新たに用意する不便さがあり、これは経済的に非常に浪費的な問題点がある。
【発明の開示】
【発明が解決しようとする課題】
【０００９】
本発明は、前記問題点を解決するために案出されたものであって、記録媒体と異なる規格によるドライブで作動可能な速度情報が記録されて、既存バージョンのドライブでもアップデートされたバージョンの記録媒体にデータを記録及び／または再生できる情報記録媒体及びその記録及び／または再生方法を提供するところにその目的がある。
【課題を解決するための手段】
【００１０】
前記目的を達成するために本発明による情報記録媒体は、ドライブの規格が、ユーザが使用する情報記録媒体に適用される規格と異なるとき、ドライブが情報記録媒体上にデータを記録及び/または再生できるか否かを示す最大記録速度情報、最小記録速度情報、最大再生速度情報及び最小再生速度情報が記録された再生専用領域を含み、前記最大記録速度情報、前記最小記録速度情報、前記最大再生速度情報、及び前記最小再生速度情報は最大倍速情報及び最小倍速情報を含み、前記再生専用領域にある特定のｍ番目バイトにある８ビットのうち、前方にある４つのビットに前記最小記録速度情報が記録され、後方にある４ビットに前記最大記録速度情報が記録され、ｎ番目バイトにある８ビットのうち、前方にある４つのビットに前記最小再生速度情報が記録され、後方にある４ビットに前記最大再生速度情報が記録される。
【００１２】
前記記録媒体は、リードイン領域、ユーザデータ領域及びリードアウト領域を含み、前記最大記録速度情報、前記最小記録速度情報、前記最大再生速度情報、及び前記最小再生速度情報は前記リードイン領域及びリードアウト領域のうち、少なくとも１領域にある再生専用領域に記録できる。
【００１５】
前記目的を達成するために本発明によるデータの記録及び／または再生方法は、ドライブの規格が、ユーザが使用する情報記録媒体に適用される規格と異なるとき、ドライブに対する速度互換性を表すのに使われる最大記録速度情報、最小記録速度情報、最大再生速度情報及び最小再生速度情報を再生専用領域に再生専用データとして記録する段階と、ドライブの記録可能な速度が前記最大記録速度情報または最小記録速度情報と同じであるか、前記最大記録速度情報及び最小記録速度情報との間にあるとき、情報記録媒体にデータを記録するか、またはドライブの再生可能な速度が前記最大再生速度情報または最小再生速度情報と同じであるか、前記最大再生速度情報及び最小再生速度情報の間にあるとき、情報記録媒体にデータを再生する段階と、を含み、前記最大記録速度情報、前記最小記録速度情報、前記最大再生速度情報、及び前記最小再生速度情報は最大倍速情報及び最小倍速情報を含み、前記再生専用領域にある特定のｍ番目バイトにある８ビットのうち前方にある４つのビットに前記最小記録速度情報が記録され、後方にある４ビットに前記最大記録速度情報が記録され、ｎ番目バイトにある８ビットのうち、前方にある４つのビットに前記最小再生速度情報が記録され、後方にある４ビットに前記最大再生速度情報が記録される。
【００１６】
前記目的を達成するために、ドライブが情報記録媒体にデータを記録するか、かつ/または再生できるか否かを表す最大記録速度情報、最小記録速度情報、最大再生速度情報及び最小再生速度情報が記録される再生専用領域を有する情報記録媒体にデータを記録及び/または再生するドライブ装置において、情報記録媒体にデータを記録及び/または再生するピックアップを備え、情報記録媒体が前記ドライブ装置に挿入される時、ドライブ装置が前記最大記録速度情報、前記最小記録速度情報、前記最大再生速度情報、及び前記最小再生速度情報を読んで、前記最大記録速度情報、前記最小記録速度情報、前記最大再生速度情報、及び前記最小再生速度情報によってデータを記録及び/または再生し、前記最大記録速度情報、前記最小記録速度情報、前記最大再生速度情報、及び前記最小再生速度情報は最大倍速情報及び最小倍速情報を含み、前記再生専用領域にある特定のｍ番目バイトにある８ビットのうち前方にある４つのビットに前記最小記録速度情報が記録され、後方にある４ビットに前記最大記録速度情報が記録され、ｎ番目バイトにある８ビットのうち、前方にある４つのビットに前記最小再生速度情報が記録され、後方にある４ビットに前記最大再生速度情報が記録される。
【００１７】
前記目的を達成するために、ドライブが情報記録媒体にデータを記録するか、かつ/または再生できるか否かを表す最大記録速度情報、最小記録速度情報、最大再生速度情報及び最小再生速度情報が記録される再生専用領域を有する情報記録媒体にデータを記録するためのドライブ装置において、特定の圧縮スキームによってＡＶ信号を圧縮し、圧縮されたＡＶデータを出力するＡＶ符号化器と、圧縮されたＡＶデータを受信し、圧縮されたＡＶ信号に対するＥＣＣ（Ｅｒｒｏｒ  Ｃｏｄｅ  Ｃｏｒｒｅｃｔｉｏｎ）処理のためのデータを付加し、特定の変調スキームによって結果データを変調させ、変調されたデータを出力するデジタル信号処理器と、変調データをＲＦ信号に変換して出力するＲＦ増幅器と、前記情報記録媒体上にＲＦ信号を記録するピックアップを備え、前記データは、ドライブが情報記録媒体にデータを記録するか、かつ/または再生できるか否かを表す最大記録速度情報、最小記録速度情報、最大再生速度情報及び最小再生速度情報を備え、前記最大記録速度情報、前記最小記録速度情報、前記最大再生速度情報、及び前記最小再生速度情報は情報記録媒体の再生専用領域に記録され、前記最大記録速度情報、前記最小記録速度情報、前記最大再生速度情報、及び前記最小再生速度情報は最大倍速情報及び最小倍速情報を含み、前記再生専用領域にある特定のｍ番目バイトにある８ビットのうち前方にある４つのビットに前記最小記録速度情報が記録され、後方にある４ビットに前記最大記録速度情報が記録され、ｎ番目バイトにある８ビットのうち、前方にある４つのビットに前記最小再生速度情報が記録され、後方にある４ビットに前記最大再生速度情報が記録される
【００１８】
前記目的を達成するために、情報記録媒体にデータを再生するためのドライブ装置において、前記情報記録媒体から光信号を検出するピックアップと、光信号を変調データのＲＦ信号に変換してＲＦ信号を出力するＲＦ増幅器と、変調スキームによって変調データを復調し、ＥＣＣ処理を行って圧縮されたＡＶ信号を出力するデジタル信号処理器と、圧縮されたＡＶデータを復調してＡＶ信号を出力するＡＶデコーダとを備え、前記データは、ドライブが情報記録媒体にデータを記録するか、かつ/または再生できるか否かを表す最大記録速度情報、最小記録速度情報、最大再生速度情報及び最小再生速度情報を備え、前記最大記録速度情報、前記最小記録速度情報、前記最大再生速度情報、及び前記最小再生速度情報は情報記録媒体の再生専用領域に記録され、前記最大記録速度情報、前記最小記録速度情報、前記最大再生速度情報、及び前記最小再生速度情報は最大倍速情報及び最小倍速情報を含み、前記再生専用領域にある特定のｍ番目バイトにある８ビットのうち前方にある４つのビットに前記最小記録速度情報が記録され、後方にある４ビットに前記最大記録速度情報が記録され、ｎ番目バイトにある８ビットのうち、前方にある４つのビットに前記最小再生速度情報が記録され、後方にある４ビットに前記最大再生速度情報が記録される。
【発明を実施するための最良の形態】
【００１９】
本発明による情報記録媒体は、特定の規格と異なる規格によるドライブが前記特定の規格による記録媒体にデータを記録できる速度情報が記録される。ここで、特定の規格とは、ユーザが使用する記録媒体に適用される規格を意味する。この速度情報は、再生専用データとして再生専用領域に記録される。以下、前記速度情報を、特定の規格と異なる規格によるドライブに対する速度互換性を表す情報と称する。
【００２０】
本発明による情報記録媒体は、図１を参照するに、リードイン領域１０、ユーザデータ領域２０及びリードアウト領域３０を含み、他の規格によるドライブのための速度情報がリードイン領域１０及び／またはリードアウト領域３０にある再生専用領域に記録されうる。
【００２１】
リードイン領域１０は、再生専用領域と記録可能な領域とに分けられうる。具体的に、リードイン領域１０は、第１バッファゾーン１０−１、ディスクコントロールデータゾーン１０−２、ディスクテストゾーン１０−３、ドライブテストゾーン１０−４、欠陥管理ゾーン１０−５を備えて構成しうる。そして、予定されていないが、以後に他の情報が記録されうる余裕領域として保留ゾーン（ｒｅｓｅｒｖｅｄ  ｚｏｎｅ）１０−６と第２バッファゾーン１０−７とがさらに備えられうる。例えば、第１バッファゾーン１０−１とディスクコントロールデータゾーン１０−２とが再生専用領域であり、残りの領域は記録可能な領域でありうる。一方、リードアウト領域３０は、リードイン領域１０と類似した構造で構成されうるので、その詳細な説明は省略する。
【００２２】
本発明の望ましい実施例による情報記録媒体は、規格バージョンナンバーと、他の規格によるドライブのための速度情報とが基板の製造時に再生専用のデータとして記録される。この速度情報は、記録速度情報及び／または再生速度情報でありうる。記録速度及び／または再生速度がディスクコントロールデータゾーン１０−２にピットまたはグルーブワッブルとして記録されうる。グルーブワッブルは、グルーブがウェーブ形態で形成されたことを表す。
【００２３】
ディスクコントロールデータゾーン１０−２は、図３に示されたように複数のバイトで構成され、速度情報がディスクコントロールデータゾーン１０−２にあるバイトのうち、少なくとも１バイトに記録されうる。図３では、第３バイトに最小記録速度が、第４バイトに最大記録速度が、第５バイトに最小再生速度が、第６バイトに最大再生速度が、各々記録されている。
【００２４】
図４Ａに第３バイト、第４バイト、第５バイト及び第６バイトを用いて速度情報を記録する例が図示されている。バイトは、第０ビット０ｂ、第１ビット１ｂ、第２ビット２ｂ、第３ビット３ｂ、第４ビット４ｂ、第５ビット５ｂ、第６ビット６ｂ及び第７ビット７ｂの８ビットで構成される。このように４つのバイトを用いて速度情報を各々記録する方法がある。
または、図４Ｃに示されたように、ｍ番目及びｎ番目のバイトの２バイトを用いてｍ番目のバイトには最小倍速情報を、ｎ番目のバイトには最大倍速情報を、各々記録できる。ここで、ｍとｎは、連続的な数でも、不連続的な数でもあり得る。逆に、ｍ番目のバイトには最大倍速情報を、ｎ番目のバイトには最小倍速情報を記録しうる。ここで、最小倍速情報は、最小記録速度情報または最小再生速度情報でありうる。または、最大倍速情報は最大記録速度情報または最大再生速度情報でありうる。最小倍速情報と最大倍速情報とが１６進法方式または２進法方式で記録されうる。
【００２６】
または、図４Ｂに示されたように、特定のｍ番目のバイトにある第０−７ビットに各々対応する速度を指定し、これら速度に対する情報を各ビットごとに記録しうる。例えば、第０ビット０ｂは１倍速を、第１ビット１ｂは２倍速を、第２ビット２ｂは３倍速を、第３ビット３ｂは４倍速を、第４ビット４ｂは５倍速を、第５ビット５ｂは６倍速を、第６ビット６ｂは７倍速を、第７ビット７ｂは８倍速を各々表す。これら各ビットに０が記録されれば、各ビットに対応する速度にて記録可能であり、一方、１が記録されれば、各ビットに対応する速度にて記録不能であることを表しうる。例えば、００００１１１１ｂは１−４倍速で記録可能であり、５−８倍速として記録不能であることを表す。
【００２７】
また、１バイトを構成する第０−７ビットのうち、前方にある４ビットには最小倍速情報を、後方にある４ビットには最大倍速情報を記録しうる。例えば、１０００００１１ｂが記録されているとき、１０００は最小倍速情報を、００１１は最大倍速情報を表す。このような方法を利用して記録速度情報と再生速度情報とを共に記録しうる。例えば、ｍ番目のバイトには記録速度情報を、ｎ番目のバイトには再生速度情報を各々記録しうる。ｍ番目のバイトの７−４ビットに最大記録速度情報を、３−０ビットに最小記録速度情報を記録し、ｎ番目のバイトの７−４ビットに最大再生速度情報を、３−０ビットに最小再生速度情報を記録する。
【００２８】
次いで、本発明による記録媒体にデータを記録及び／または再生する方法は、他の規格によるドライブのための記録速度情報及び／または再生速度情報が記録され、ドライブで前記記録速度情報及び／または再生速度情報を読込む。そして、ドライブの記録速度が前記記録速度情報に含まれるとき、またはドライブの再生可能な速度が前記再生速度情報に含まれるとき、記録媒体にデータを記録するか、再生する。
【００２９】
本発明によるデータの記録及び／または再生方法は、記録可能な記録媒体と再生専用の記録媒体いずれにも適用しうる。
【００３０】
例えば、２．０のバージョンによる記録媒体が１．０バージョンによるドライブに挿入されたとき、ドライブでは前記記録媒体に記録された速度情報を読込む。この速度情報にある速度がドライブによる記録速度またはドライブでの再生速度であるとき、このドライブを用いて、ドライブと異なる規格による情報記録媒体にデータを記録するか、再生しうる。
【００３１】
本発明による情報記録媒体にデータを記録及び／または再生するドライブ装置が、図５に図示されている。データの記録時、ＡＶ符号化器１１０が特定の圧縮スキームによってＡＶ信号を圧縮コード化し、圧縮データのためのサイズ情報を供給する。そして、デジタル信号処理器１２０は、ＡＶ符号化器１１０から供給された圧縮Ａ／Ｖデータを受信し、ＥＣＣ処理のための付加データを付加し、特定の変調スキームを用いて変調を行う。ＲＦ増幅器１３０はデジタル信号処理器１２０からの変調データをＲＦ信号に変換する。ついで、ピックアップ１４０がＲＦ増幅器１３０から提供されたＲＦ信号をピックアップのターンテーブルに装着されたディスクに記録する。サーボ１５０は、システム制御器１６０からサーボ制御のために必要な情報を受信し、ディスクのためのサーボ機能を行う。
【００３２】
次いで、ディスクに保存されたデータの再生時、ピックアップはディスクから光信号を検出し、ディスクに保存されたデータは光信号から抽出される。ＲＦ増幅器１３０は、光信号をＲＦ信号に変換し、サーボ機能を行うためにサーボ信号を抽出して変調する。デジタル信号処理器１２０は、データの変調時に使われた変調スキームに対応し、ＲＦ増幅器１３０から提供された変調データを復調し、ＥＣＣ処理を行ってエラーを訂正して、付加されたデータを除去する。サーボ１５０は、ＲＦ増幅器１３０とシステム制御器１６０とからサーボ制御のために必要な情報を受信する。ＡＶ符号化器１１０はデジタル信号処理器１２０から提供された圧縮Ａ／ＶデータをデコーディングしてＡ／Ｖ信号を出力する。システム制御器１６０は、ピックアップのターンテーブルに装着されたディスクにデータを記録するか、再生するために全体システムを制御する。
【００３３】
上記の通りに構成されたドライブ装置に本発明による記録媒体を挿入した時、前記ドライブ装置は、前記速度情報を読込み、これによりデータを記録及び／または再生する。このような方法により規格が変わっても既存のドライブを用いてバージョンアップされた記録媒体にデータを記録するか、再生することが可能である。
【００３４】
一方、図６は、従来の再生専用の情報記録媒体のデータ領域構造を示すものである。再生専用の情報記録媒体は、リードイン領域４０、ユーザデータ領域４５及びリードアウト領域５０を含み、これら全領域が再生専用領域よりなっている。ここで、リードイン領域４０にあるディスク関連情報ゾーン４０−１に記録媒体と異なる規格によるドライブのための速度情報が記録されることが望ましい。この速度情報を記録するとき、前述したような方法が適用されうる。このように、本発明による記録及び／または再生方法は、再生専用情報記録媒体にも適用されうる。
【００３５】
前記実施例は、例示的なものに過ぎず、当業者ならばこれより多様な変形及び均等な他実施例が可能である。したがって、本発明の真の技術的保護範囲は、特許請求の範囲に記載された発明の技術的思想により決まらねばならない。
【産業上の利用可能性】
【００３６】
前述したような本発明による情報記録媒体は、他の規格によるドライブのための速度情報を含み、規格が変わっても既存のドライブを利用可能にする。ユーザは前記速度情報を利用してドライブを新たに変える必要なく、既存のドライブを用いてバージョンアップされた記録媒体にデータを記録するか、再生できるので経済的であり、規格が変わってもドライブを互換できる機能を提供する。
【図面の簡単な説明】
【００３７】
【図１】従来の記録可能な情報記録媒体のデータ領域構造を表す図である。
【図２】図１の情報記録媒体に含まれたディスクコントロールデータゾーンのデータ構造を表す図である。
【図３】情報記録媒体に含まれたディスクコントロールデータゾーンのデータ構造を表す図である。
【図４Ａ】情報記録媒体にドライブのための速度情報を記録する方法を説明するための図である。
【図４Ｂ】情報記録媒体にドライブのための速度情報を記録する方法を説明するための図である。
【図４Ｃ】情報記録媒体にドライブのための速度情報を記録する方法を説明するための図である。
【図４Ｄ】本発明による情報記録媒体にドライブのための速度情報を記録する方法を説明するための図である。
【図５】本発明による情報記録媒体にデータを記録及び／または再生するドライブ装置のブロック図である。
【図６】再生専用の情報記録媒体のデータ領域の構造を示す図である。
【図１】
0004629032.tif 000002
【図２】
0004629032.tif 000003
【図３】
0004629032.tif 000004
【図４Ａ】
0004629032.tif 000005
【図４Ｂ】
0004629032.tif 000006
【図４Ｃ】
0004629032.tif 000007
【図４Ｄ】
0004629032.tif 000008
【図５】
0004629032.tif 000009
【図６】
0004629032.tif 000010